(57)【要約】【課題】  所望の波形データを効率よく波形表示することができる波形測定装置および波形測定方法を実現することを目的にする。【解決手段】  本発明は、トリガ信号を基準として被測定波形を測定した波形データをデータ記憶部に複数格納し、データ記憶部の波形データを表示部に波形表示する波形測定装置に改良を加えたものである。本装置は、識別情報を記憶する識別情報記憶部と、データ記憶部の波形データのうち、所望の波形データを識別するための識別情報を識別情報記憶部に格納するマーキング手段と、識別情報記憶部の識別情報に基づいて、データ記憶部の波形データを選択する選択手段とを設けたことを特徴とするものである。【選択図】                    図１
2005181182.tif 000002
【特許請求の範囲】
【請求項１】
トリガ信号を基準として被測定波形を測定した波形データをデータ記憶部に複数格納し、前記データ記憶部の波形データを表示部に波形表示する波形測定装置において、
識別情報を記憶する識別情報記憶部と、
前記データ記憶部の波形データのうち、所望の波形データを識別するための識別情報を前記識別情報記憶部に格納するマーキング手段と、
前記識別情報記憶部の識別情報に基づいて、前記データ記憶部の波形データを選択する選択手段と
を設けたことを特徴とする波形測定装置。
【請求項２】
前記記憶部の波形データのなかから、検索条件に合う波形データを検索する検索手段を有し、
マーキング手段は、前記検索手段が検索した波形データのうち、所望の波形データを識別するための識別情報を前記識別情報記憶部に格納することを特徴とする請求項１記載の波形測定装置。
【請求項３】
識別情報記憶部は、前記検索手段が異なる検索条件で検索した波形データそれぞれに関する識別情報を格納することを特徴とする請求項２記載の波形測定装置。
【請求項４】
前記表示部に、前記データ記憶部の波形データの波形表示を縮小し、複数個の波形データの波形表示を行うサムネイル表示手段を設け、
マーキング手段は、前記サムネイル表示手段が表示している波形データのうち、所望の波形データを識別するための識別情報を前記識別情報記憶部に格納することを特徴とする請求項１〜３のいずれかに記載の波形測定装置。
【請求項５】
前記データ記憶部の波形データの情報をリスト形式で前記表示部に表示するリスト表示手段を設け、
マーキング手段は、前記リスト表示手段によって表示される波形データのうち、所望の波形データを識別するための識別情報を前記識別情報記憶部に格納することを特徴とする請求項１〜４のいずれかに記載の波形測定装置。
【請求項６】
被測定波形を測定した波形データをデータ記憶部に格納し、前記データ記憶部の波形データを表示部に波形表示すると共に、前記波形表示される波形データを波形解析した解析結果を表示する波形測定装置において、
識別情報を記憶する識別情報記憶部と、
前記波形データの解析結果のうち、所望の解析結果を識別するための識別情報を前記識別情報記憶部に格納するマーキング手段と、
前記識別情報記憶部の識別情報に基づいて、前記記析結果を選択する選択手段と
を設けたことを特徴とする波形測定装置。
【請求項７】
前記波形データをファイル形式で保存するファイル保存部を有し、
マーキング手段は、前記ファイル保存部に保存されるファイルのうち、所望のファイルを識別するための識別情報を前記識別情報記憶部に格納し、
選択手段は、前記識別情報記憶部の識別情報に基づいて、前記ファイル保存部のファイルを選択することを特徴とする請求項１〜６のいずれかに記載の波形測定装置。
【請求項８】
前記表示部に表示されて装置本体の操作を説明するためのヘルプ画面を複数有するヘルプ画面記憶部を有し、
マーキング手段は、前記ヘルプ画面記憶部のヘルプ画面のうち、所望のヘルプ画面を識別するための識別情報を前記識別情報記憶部に格納し、
選択手段は、前記識別情報記憶部の識別情報に基づいて、前記ヘルプ画面記憶部のヘルプ画面を選択することを特徴とする請求項１〜７のいずれかに記載の波形測定装置。
【請求項９】
データ記憶部にトリガ信号を基準として測定した波形データを複数格納し、前記データ記憶部の波形データを表示部に波形表示する波形測定方法において、
前記データ記憶部の複数の波形データのうち、所望の波形データにマーキングを行うステップと、
前記マーキングされた波形データを選択して前記表示部に波形表示するステップと
を設けたことを特徴とする波形測定方法。
【発明の詳細な説明】
【技術分野】
【０００１】
本発明は、トリガ信号を基準として被測定波形を測定した波形データをデータ記憶部に複数格納し、データ記憶部の波形データや解析結果等を表示部に表示する波形測定装置および波形測定方法に関し、詳しくは、所望の波形データを効率よく波形表示することができる波形測定装置および波形測定方法に関するものである。
【背景技術】
【０００２】
波形測定装置は、例えば、デジタルオシロスコープであり、測定部が被測定波形を測定してデジタル信号の波形データに変換し、データ記憶部であるアクイジョンメモリに格納する。そして、表示処理部がアクイジョンメモリに格納した波形データを読み出して解析を行うと共に、この解析結果および波形データを表示部の表示画面に波形表示するように構成されたものであり、各種分野の研究開発、品質管理、保守作業等において広く使用されている。
【０００３】
そして、波形測定装置は、トリガ信号を用いて所望の条件を満たす波形データのみをアクイジョンメモリに複数格納することができる。このようにアクイジョンメモリは、トリガ信号ごとに測定した波形データを順に格納していくので、ヒストリメモリとも呼ばれる（例えば、特許文献１参照）。近年、ヒストリメモリの容量が増大し、数十〜数千個の波形データを格納することができる。
【０００４】
図６は、ヒストリメモリ内に格納される波形データＤ（１）〜Ｄ（ｎ）の例を示した図である。なお、波形データＤ（１）〜Ｄ（ｎ）は、重ねて図示している。また、図７は、波形測定装置の前面を示した一例である。図７において、装置の上側に設けられる表示部の表示画面Ｄｉｓｐは、例えば、ＣＲＴや液晶等であり、波形データＤ（１）〜Ｄ（ｎ）が波形表示される。装置の下側に設けられる複数の入力端子ＩＮは、被測定波形が入力される。表示画面Ｄｉｓｐと入力端子ＩＮの間に設けられる複数のボタンやロータリーノブは、ユーザが装置本体を操作するための操作部である。そして、図８は、波形測定装置の動作を説明したフローチャートである。
【０００５】
測定部が、被測定波形を測定しつつ、例えば、エッジトリガ等の簡単な条件に合う被測定波形が入力されるとトリガ信号を発生し、このトリガ信号ごとに波形データＤ（１）〜Ｄ（ｎ）を取得し、ヒストリメモリに格納する（Ｓ１０）。
【０００６】
そして、表示処理部が波形データＤ（１）〜Ｄ（ｎ）の波形表示や波形解析を行うが、ヒストリメモリの波形データＤ（１）〜Ｄ（ｎ）を１個ずつ表示画面Ｄｉｓｐに表示して、解析対象の波形データＤ（１）〜Ｄ（ｎ）を検索するのは困難なので、所望の検索条件で波形データの検索（波形データの検索は、ヒストリサーチとも呼ばれる）を行い、波形データＤ（１）〜Ｄ（ｎ）の絞込みを行う。例えば、図６に示す検索条件Ａ（最大値近傍でノイズが混入し、波形が歪んでいるもの）で、波形データＤ（２）、Ｄ（４）、Ｄ（９）の検索を行う（Ｓ１１）。そして、検索した波形データＤ（２）、Ｄ（４）、Ｄ（９）を順に１個ずつ表示画面Ｄｉｓｐに表示し、必要ならば波形解析を行い解析結果を表する（Ｓ１２）。
【０００７】
異なる検索条件でヒストリサーチを行う場合、新たな検索条件、例えば、図６に示す検索条件Ｂ（最小値近傍で波形が歪んでいるもの）で検索を行って、波形データＤ（３）、Ｄ（８）の絞込みを行い波形解析を行う（Ｓ１３、Ｓ１１〜Ｓ１２）。一方、波形データＤ（１）〜Ｄ（ｎ）の波形解析が終了した場合、波形測定および波形解析を終了する（Ｓ１３）。
【０００８】
【特許文献１】特開２０００−２９２４４９号公報（段落番号０００２−０００４、第４−５図）
【発明の開示】
【発明が解決しようとする課題】
【０００９】
波形解析では、異なる部位で発生した形状を比較して、異常な現象が発生した原因の解明を行うことが多い。また、報告書の作成では、数種類の異常な波形や正常な波形とを比較する必要がある。そのため、様々な検索条件Ａ、Ｂで波形データＤ（１）〜Ｄ（ｎ）の絞込みを行い、さらに絞り込んだもののなかから比較するための波形データＤ（１）〜Ｄ（ｎ）を選択する必要がある。
【００１０】
しかしながら、図６に示すように検索条件Ｂでヒストリサーチを行うと、以前の検索条件Ａで絞り込んだ検索結果の波形データＤ（２）、Ｄ（４）、Ｄ（９）は破棄されてしまう。例えば、検索条件Ａで絞り込んだ波形データＤ（４）と検索条件Ｂで絞り込んだ波形データＤ（８）との比較を行う場合で説明する。
【００１１】
検索条件Ｂで絞込み波形データＤ（８）の波形解析を行った後では、再度検索条件Ａでヒストリサーチを行い波形データ（２）、Ｄ（４）、Ｄ（９）を検索する。そして、検索結果の波形データＤ（２）、Ｄ（４）、Ｄ（９）を順に１個ずつ表示画面Ｄｉｓｐに表示して、所望の波形データＤ（４）を選択してから波形解析を行う必要がある。そのため、、所望の波形データＤ（４）のみを効率よく再表示させ、波形解析をすることが困難であるという問題があった。
【００１２】
一方、波形データＤ（４）をファイルとして保存し、波形データＤ（８）と比較することも考えられるが、ファイルから読み出す作業を行う必要がある。また、波形データＤ（４）のファイルだけでなく、複数のファイルが多数保存されている事が多く、所望のファイルを探すのが難しく、所望の波形データＤ（４）のみを効率よく再表示させ、波形解析をすることが困難であるという問題があった。
【００１３】
そこで本発明の目的は、所望の波形データを効率よく表示することができる波形測定装置および波形測定方法を実現することにある。
【課題を解決するための手段】
【００１４】
請求項１記載の発明は、
トリガ信号を基準として被測定波形を測定した波形データをデータ記憶部に複数格納し、前記データ記憶部の波形データを表示部に波形表示する波形測定装置において、
識別情報を記憶する識別情報記憶部と、
前記データ記憶部の波形データのうち、所望の波形データを識別するための識別情報を前記識別情報記憶部に格納するマーキング手段と、
前記識別情報記憶部の識別情報に基づいて、前記データ記憶部の波形データを選択する選択手段と
を設けたことを特徴とするものである。
【００１５】
請求項２記載の発明は、請求項１記載の発明において、
前記記憶部の波形データのなかから、検索条件に合う波形データを検索する検索手段を有し、
マーキング手段は、前記検索手段が検索した波形データのうち、所望の波形データを識別するための識別情報を前記識別情報記憶部に格納することを特徴とするものである。
【００１６】
請求項３記載の発明は、請求項２記載の発明において、
識別情報記憶部は、前記検索手段が異なる検索条件で検索した波形データそれぞれに関する識別情報を格納することを特徴とするものである。
【００１７】
請求項４記載の発明は、請求項１〜３のいずれかに記載の発明において、
前記表示部に、前記データ記憶部の波形データの波形表示を縮小し、複数個の波形データの波形表示を行うサムネイル表示手段を設け、
マーキング手段は、前記サムネイル表示手段が表示している波形データのうち、所望の波形データを識別するための識別情報を前記識別情報記憶部に格納することを特徴とするものである。
【００１８】
請求項５記載の発明は、請求項１〜４のいずれかに記載の発明において、
前記データ記憶部の波形データの情報をリスト形式で前記表示部に表示するリスト表示手段を設け、
マーキング手段は、前記リスト表示手段によって表示される波形データのうち、所望の波形データを識別するための識別情報を前記識別情報記憶部に格納することを特徴とするものである。
【００１９】
請求項６記載の発明は、
被測定波形を測定した波形データをデータ記憶部に格納し、前記データ記憶部の波形データを表示部に波形表示すると共に、前記波形表示される波形データを波形解析した解析結果を表示する波形測定装置において、
識別情報を記憶する識別情報記憶部と、
前記波形データの解析結果のうち、所望の解析結果を識別するための識別情報を前記識別情報記憶部に格納するマーキング手段と、
前記識別情報記憶部の識別情報に基づいて、前記記析結果を選択する選択手段と
を設けたことを特徴とするものである。
【００２０】
請求項７記載の発明は、請求項１〜６のいずれかに記載の発明において、
前記波形データをファイル形式で保存するファイル保存部を有し、
マーキング手段は、前記ファイル保存部に保存されるファイルのうち、所望のファイルを識別するための識別情報を前記識別情報記憶部に格納し、
選択手段は、前記識別情報記憶部の識別情報に基づいて、前記ファイル保存部のファイルを選択することを特徴とするものである。
【００２１】
請求項８記載の発明は、請求項１〜７のいずれかに記載の発明において、
前記表示部に表示されて装置本体の操作を説明するためのヘルプ画面を複数有するヘルプ画面記憶部を有し、
マーキング手段は、前記ヘルプ画面記憶部のヘルプ画面のうち、所望のヘルプ画面を識別するための識別情報を前記識別情報記憶部に格納し、
選択手段は、前記識別情報記憶部の識別情報に基づいて、前記ヘルプ画面記憶部のヘルプ画面を選択することを特徴とするものである。
【００２２】
請求項９記載の発明は、
データ記憶部にトリガ信号を基準として測定した波形データを複数格納し、前記データ記憶部の波形データを表示部に波形表示する波形測定方法において、
前記データ記憶部の複数の波形データのうち、所望の波形データにマーキングを行うステップと、
前記マーキングされた波形データを選択して前記表示部に波形表示するステップと
を設けたことを特徴とするものである。
【発明の効果】
【００２３】
本発明によれば、以下のような効果がある。
請求項１〜８によれば、マーキング手段が、データ記憶部の多数の波形データのうち、所望の波形データの識別情報を識別情報記憶部に格納する。そして、再度波形データを波形表示する際には、識別情報に基づいて選択手段が選択した波形データのみを波形表示するので、所望の波形データを効率よく波形表示したり、波形解析を行って解析結果を表示することができる。従って、データ記憶部のなかから波形データを探す作業と、波形データの波形表示や波形解析を行う作業とを分離することができ、波形表示、波形解析を集中して行うことができる。
【００２４】
請求項２によれば、マーキング手段が、検索手段によって検索された波形データのなかから、所望の波形データの識別情報を識別情報記憶部に格納するので、効率よく所望の波形データを探すことができる。
【００２５】
請求項３によれば、識別情報記憶部は、検索手段が異なる検索条件で検索した波形データそれぞれの識別情報を格納するので、必要な波形データのみを一元管理することができる。これにより、異なる検索条件で複数回の検索を行ってから波形表示、波形解析をする必要が無く、所望の波形データを効率よく波形表示したり、波形解析を行って解析結果を表示することができる。
【００２６】
請求項４によれば、マーキング手段がサムネイル表示手段によって表示される複数の縮小された波形表示のなかから、所望の波形データの識別情報を識別情報記憶部に格納するので、表示部に１個ずつ順に波形表示し、識別情報を格納する必要が無い。これにより、効率よく所望の波形データの識別情報を格納することができる。
【００２７】
請求項５によれば、マーキング手段がリスト表示手段によって表示されるリストのなかから、所望の波形データの識別情報を識別情報記憶部に格納するので、表示部に１個ずつ順に波形表示し、識別情報を格納する必要が無い。これにより、効率よく所望の波形データの識別情報を格納することができる。
【００２８】
請求項６によれば、マーキング手段が、複数の解析結果のうち、所望の解析結果の識別情報を識別情報記憶部に格納し、解析手段によって解析された解析結果のうち、識別情報に基づいて選択手段が選択した解析結果を表示するので、重要な解析結果を効率よく表示することができる。
【００２９】
請求項７によれば、マーキング手段が、ファイル保存部の多数のファイルのうち、所望のファイルの識別情報を識別情報記憶部に格納し、識別情報に基づいて選択手段が選択したファイルの波形データを波形表示するので、所望の波形データを効率よく波形表示したり、波形解析を行って解析結果を表示することができる。
【００３０】
請求項８によれば、マーキング手段が、複数のヘルプ画面のうち、所望のヘルプ画面の識別情報を識別情報記憶部に格納し、識別情報に基づいて選択手段が選択したヘルプ画面を表示するので、ユーザが必要とするヘルプ画面を効率よく表示することができる。
【００３１】
請求項９によれば、データ記憶部の多数の波形データのうち、所望の波形データをマーキングし、再度波形データを波形表示する際には、マーキングされた波形データのみを波形表示するので、所望の波形データを効率よく波形表示したり、波形解析を行って解析結果を表示することができる。従って、データ記憶部のなかから波形データを探す作業と、波形データの波形表示や波形解析を行う作業とを分離することができ、波形表示、波形解析を集中して行うことができる。
【発明を実施するための最良の形態】
【００３２】
以下図面を用いて本発明の実施の形態を説明する。
図１は本発明の一実施例を示す構成図である。ここで、図７と同一のものは同一符号を付し説明を省略する。図１において、測定部１０は、ＡＤ変換器１１、トリガ検出回路１２を有し、入力端子ＩＮより被測定波形が入力され、この被測定波形をデジタル信号に変換して、トリガ信号ごとにデジタル信号を波形データとしてヒストリメモリ２０に格納する。ＡＤ変換器１１は、被測定波形をデジタル信号として出力する。トリガ検出回路１２は、被測定波形によってトリガ信号を発生する。なお、ＡＤ変換器１１は、複数チャネル分設けられるが、１チャネル分のみ図示している。
【００３３】
データ記憶部であるヒストリメモリ２０は、測定部１０からの波形データを記憶する。ブックマーク管理データベース（以下、ＤＢと略す）３０は、識別情報記憶部であり、識別情報を記憶する。ブックマーク管理部４０は、マーキング手段４１を有し、ＤＢ３０が記憶する識別情報を管理する。マーキング手段４１は、ヒストリメモリ２０に記憶される波形データのうち、所望の波形データを識別するための識別情報を識別情報記憶部３０に格納する。
【００３４】
表示処理部５０は、索手段５１、解析手段５２、検選択手段５３を有し、ブックマーク管理部４０と相互に接続され、ヒストリメモリ２０から波形データを読み出し、波形解析を行う。また、表示処理部５０は、波形データや解析結果を所望の形式の表示データに変換して出力する。
【００３５】
検索手段５１は、ヒストリメモリ２０の波形データのなかから、検索条件に合う波形データを検索する。解析手段５２は、ヒストリメモリ２０から読み出した波形データの波形解析を行う。選択手段５３は、ブックマーク管理部４０が管理するＤＢ３０の識別情報に基づいて、ヒストリメモリ２０から読み出す波形データを選択する。
【００３６】
表示部６０は、表示画面Ｄｉｓｐを有し、表示処理部５０から出力された表示データを表示画面Ｄｉｓｐに表示する。
【００３７】
このような装置の動作を説明する。
図２は、本装置の動作を説明したフローチャートである。図３は、本装置で取得される波形データＤ（１）〜Ｄ（ｎ）の一例を示した図である。ここで、図６と同一のものは同一符号を付し、説明を省略する。
【００３８】
まず、ユーザが図示しない操作部を操作して被測定波形の測定の開始を指示する。これにより測定部１０に入力される被測定波形を、図示しないプリアンプが所望の振幅レベルに減衰、増幅して、ＡＤ変換器１２およびトリガ検出回路１３に出力する。そして、ＡＤ変換器１１が、図示しないプリアンプから出力された信号をデジタル信号に変化し、波形データとしてヒストリメモリ２０に出力する。
【００３９】
一方、トリガ検出回路１２は、図示しないプリアンプからの信号レベルが所望のトリガ条件となるのを検出すると、トリガ信号を発生する。所望のトリガ条件とは、例えば、信号レベルが負から正になる場合や、複数チャネルからの信号が特定の信号レベルを超える場合等である。
【００４０】
そして、測定部１０が、トリガ検出回路１２からのトリガ信号を基準として、ヒストリメモリ２０にＡＤ変換器１１からの波形データを、トリガ信号ごとに格納させる。この時、基準となるトリガ信号前後の所望時間分の波形データをヒストリメモリ２０に格納できるように、ＡＤ変換器１１が波形データを出力する。また、測定部１０が、ヒストリメモリ２０に複数格納した波形データを識別するためのインデックス、例えば格納した順番を表す番号を、波形データＤ（１）〜Ｄ（ｎ）ごとに付加する。また、取得した時刻、データ長、ＡＤ変換器１１のサンプリング時間等も波形データＤ（１）〜Ｄ（ｎ）には含まれる。（Ｓ２０）。
【００４１】
そして、ユーザが、図示しない操作部を介して表示処理部５０に波形表示や波形解析を行わせる。ここで、表示処理部５０がヒストリメモリ２０の波形データＤ（１）〜Ｄ（ｎ）を１個ずつ表示画面Ｄｉｓｐに表示して、表示される波形表示から解析対象の波形データＤ（１）〜Ｄ（ｎ）を検索するのは困難なので、表示処理部５０が、図示しない操作部で設定される所望の検索条件でヒストリサーチを行い、波形データＤ（１）〜Ｄ（ｎ）の絞込みを行う。例えば、図３に示す検索条件Ａで、波形データＤ（２）、Ｄ（４）、Ｄ（９）の検索を行う（Ｓ２１）。
【００４２】
そして、ユーザが操作する図示しない操作部からの指示によって、表示処理部５０が検索した波形データＤ（２）、Ｄ（４）、Ｄ（９）を順に１個ずつ表示画面Ｄｉｓｐに波形表示する。また、表示処理部５０の解析手段５２が、表示される波形データＤ（２）、Ｄ（４）、Ｄ（９）の波形解析をし、表示処理部５０が解析結果を表示する（Ｓ２２）。
【００４３】
さらに、ユーザが、表示画面Ｄｉｓｐに波形表示されている波形データＤ（２）、Ｄ（４）、Ｄ（９）のうち、表示中の波形データ（例えば、波形データＤ（４））をブックマーク登録する。ブックマーク登録とは、複数あるもののうち、所望のものをマーキングし、他と区別できるようにしておくことである。すなわち、ユーザが図示しない操作部によって波形データＤ（４）のブックマーク登録を指示すると、ブックマーク管理部４０のマーキング手段４１が、操作部から指示された波形データＤ（４）を識別するための識別情報をＤＢ３０に登録し、波形データＤ（４）のマーキングを行う。これにより、波形データＤ（４）がブックマーク登録される。なお、識別情報としては、例えば、波形データに付加されているインデックス、波形データが格納されているヒストリメモリ２０内のアドレス等である（Ｓ２３）。
【００４４】
そして、検索した波形データＤ（２）、Ｄ（４）、Ｄ（９）全ての波形表示が終了していない場合、波形表示が終了していない波形データデータＤ（２）、Ｄ（４）、Ｄ（９）を波形表示させて、必要に応じてブックマーク登録する（Ｓ２４、Ｓ２２〜Ｓ２３）。
【００４５】
一方、検索した波形データ（２）、Ｄ（４）、Ｄ（９）の全ての波形表示が終了し（Ｓ２４）、さらに異なる検索条件でヒストリサーチを行う場合は、新たな検索条件、例えば、図３に示す検索条件Ｂで検索を行って、波形データＤ（３）、Ｄ（８）の絞込みんで波形表示、波形解析を行い、必要な波形データ、例えば、Ｄ（８）をブックマーク登録する（Ｓ２５、Ｓ２１〜Ｓ２４）。
【００４６】
また、別の検索条件で検索を行わない場合、図示しない操作部からブックマーク登録した波形データＤ（４）、Ｄ（８）を表示させる指示が行われ、表示処理部５０はブックマークされた波形データの波形表示を行うモード（以下、ブックマーク登録されたものを選択する場合、ブックマーク波形表示モードと呼ぶ）に変更される（Ｓ２５、Ｓ２６）。なお、ステップＳ２０〜Ｓ２５までは、ヒストリメモリ波形表示モードと呼ぶ。
【００４７】
そして、表示処理部５０が、ブックマーク管理部４０を介してＤＢ３０から識別情報を取得し、表示処理部５０の選択手段５１が識別情報によって、ヒストリメモリ２０からブックマーク登録された波形データＤ（４）、Ｄ（８）のみを選択して順に読み出す。例えば、波形データＤ（４）を読み出し、波形データＤ（４）を波形表示する（Ｓ２７）。さらに、表示処理部５０の波形解析手段５２が波形データＤ（４）の波形解析を行って、解析結果を表示部６０の表示画面Ｄｉｓｐに表示する（Ｓ２８）。
【００４８】
そして、ブックマーク登録された波形データＤ（４）、Ｄ（８）で、読み出していない波形データＤ（８）がある場合、次の波形データＤ（８）を１個読み出して波形表示や解析結果の表示を行う（Ｓ２９、Ｓ２７〜Ｓ２８）。また、ブックマーク登録された波形データＤ（４）、Ｄ（８）を全て読み出したら処理を終了する（Ｓ２９）。
【００４９】
このように、マーキング手段４１が、検索手段５１が検索した波形データＤ（２）〜Ｄ（４）、Ｄ（８）、Ｄ（９）のうち、所望の波形データＤ（４）、Ｄ（８）をＤＢ３０にブックマーク登録し、選択手段５１がヒストリメモリ２０に波形データのうち、ブックマーク登録された波形データＤ（４）、Ｄ（８）のみを選択してヒストリメモリ２０から読み出すので、所望の波形データＤ（４）、Ｄ（８）を効率よく波形表示したり、波形解析を行って解析結果を表示することができる。従って、ヒストリメモリ２０のなかから波形データＤ（４）、Ｄ（８）を探す作業と、波形データＤ（４）、Ｄ（８）の波形解析を行う作業とを分離することができ、波形表示、波形解析を集中して行うことができる。
【００５０】
特に、ヒストリメモリ２０に格納されている波形データＤ（１）〜Ｄ（ｎ）は、トリガ信号ごとに取得されたものであり、波形データＤ（１）〜Ｄ（ｎ）間の時間的な連続性がなく、これらの波形データＤ（１）〜Ｄ（ｎ）は、時間的に一つのものとして結合させて表示できない。そのため、個々に独立して波形表示させて、それぞれを比較する必要がある。例えば、特開２００１−１５３８９２号公報に示されるように、連続した一つの波形データ内でブックマーク登録するものと異なり、数十〜数千個の波形データＤ（１）〜Ｄ（ｎ）のなかから所望の波形データＤ（４）、Ｄ（８）をブックマーク登録するので、所望の波形データＤ（４）、Ｄ（８）を効率よく波形表示したり、波形解析を行って解析結果を表示することができる。
【００５１】
マーキング手段４１が、検索手段５１によって検索された波形データＤ（２）〜Ｄ（４）、Ｄ（８）、Ｄ（９）のなかから、所望の波形データＤ（４）、Ｄ（８）をブックマーク登録するので、ヒストリメモリ２０から直接波形データＤ（４）、Ｄ（８）を探す必要が無く、効率よく所望の波形データＤ（４）、Ｄ（８）を探すことができる。
【００５２】
また、ＤＢ３０は、検索手段５１が異なる検索条件Ａ、Ｂで検索した波形データＤ（４）、Ｄ（８）それぞれの識別情報を格納するので、必要な波形データのみを一元管理することができる。こにより、ユーザが検索条件Ａ、Ｂでヒストリサーチを行ってから波形表示、波形解析をする必要が無く、所望の波形データＤ（４）、Ｄ（８）を効率よく波形表示したり、波形解析を行って解析結果を表示することができる。
【００５３】
なお、本発明はこれに限定されるものではなく、以下のようなものでもよい。
図１に示す装置において、検索手段５１が検索した波形データＤ（２）〜Ｄ（４）、Ｄ（８）、Ｄ（９）から、波形データＤ（４）、Ｄ（８）をブックマーク登録する構成を示したが、検索手段５１がヒストリサーチで絞り込んだものでなく、ヒストリメモリ２０全体の波形データＤ（１）〜Ｄ（ｎ）のうち、所望の波形データＤ（２）、Ｄ（４）をブックマーク登録してもよい。
【００５４】
このように、マーキング手段４１が、ヒストリメモリ２０の多数の波形データＤ（１）〜Ｄ（ｎ）のうち、所望の波形データＤ（２）、Ｄ（４）をブックマーク登録する。そして、波形データＤ（２）、Ｄ（４）を再度波形表示するブックマーク波形表示モードで、選択手段５３が、ブックマーク登録した波形データＤ（２）、Ｄ（４）を選択するので、所望の波形データＤ（４）、Ｄ（８）を効率よく波形表示したり、波形解析を行って解析結果を表示することができる。もちろん、ブックマーク登録するのは、波形データＤ（２）、Ｄ（４）のみでなく、どの波形データＤ（１）〜Ｄ（ｎ）でもよい。
【００５５】
また、図１に示す装置において、表示部６０の表示画面Ｄｉｓｐに波形表示中の波形データをブックマーク登録する構成を示したが、表示部６０の表示画面Ｄｉｓｐにヒストリメモリ２０の波形データＤ（１）〜Ｄ（ｎ）をサムネイル表示（波形の形状が分かる範囲で縮小したもの）したり、リスト形式で表示して、このサムネイル表示やリストからブックマーク登録する波形データを選択しても良い。
【００５６】
例えば、図４に示すように構成する。図４において、表示処理部５０にサムネイル表示するサムネイル表示手段５４、リスト形式で表示するリスト表示手段５５が新たに設けられる。このような装置は、図１に示す装置の動作とほぼ同様であるが、異なる動作を説明する。まず、サムネイル表示する場合を説明する。例えば、表示処理部５０が波形データＤ（１）〜Ｄ（４）を読み出し、サムネイル表示手段５４が、波形データＤ（１）〜Ｄ（４）それぞれの波形表示を縮小して、表示画面Ｄｉｓｐ上に同時に複数個の波形データＤ（１）〜Ｄ（４）の波形表示を行う。例えば、図５に示すように表示する。図５は、装置の前面を示した一例であり、４個の波形データＤ（１）〜Ｄ（４）を縮小して同時に波形表示した例である。ここで、図２と同一のものは同一符号を付し説明を省略する。
【００５７】
そして、表示画面Ｄｉｓｐに表示される波形データＤ（１）〜Ｄ（４）のなかから、ユーザがブックマーク登録する所望の波形データを操作部を介して指示し、マーキング手段４１が、指示された波形データをＤＢ３０にブックマーク登録する。そして、ブックマーク波形表示モードで、選択手段５３が、ヒストリメモリ２０の波形データＤ（１）〜Ｄ（ｎ）のうち、ＤＢ３０を参照してブックマーク登録された波形データのみを選択し、表示画面Ｄｉｓｐに波形表示する。
【００５８】
続いて、リスト形式で表示する場合の動作を説明する。
リスト表示手段５５が、ヒストリメモリ２０の波形データの情報（例えば、インデックス、取得した時間等）を表示画面Ｄｉｓｐにリスト表示する。そして、リスト表示される波形データのなかから、マーキング手段４１が所望の波形データをＤＢ３０にブックマーク登録する。そして、ブックマーク波形表示モードで、選択手段５３が、ヒストリメモリ２０の波形データＤ（１）〜Ｄ（ｎ）のうち、ＤＢ３０を参照してブックマーク登録された波形データのみを選択し、表示画面Ｄｉｓｐに表示する。
【００５９】
このように、マーキング手段４１がサムネイル表示またはリスト表示される波形データのなかから、所望の波形データをブックマーク登録するので、表示部６０の表示画面Ｄｉｓｐに１個ずつ順に波形表示し、ブックマーク登録をする必要が無い。これにより、効率よく所望の波形データをブックマーク登録することができる。なお、サムネイル表示手段５４、リスト表示手段５５を両方設ける構成を示したが、どちらが一方のみでも良い。
【００６０】
また、図１に示す装置において、複数の波形データＤ（１）〜Ｄ（ｎ）のうち、マーキング手段４１が、所望の波形データをブックマーク登録する構成を示したが、解析結果をブックマーク登録してもよい。すなわち、波形解析では、一つの波形データに対して、複数の解析項目で波形解析を行うことが多い。そのため、解析結果が多数表示され、重要な解析結果が見づらくなることがある。そこで、マーキング手段４１が、所望の解析結果や所望の解析項目を識別するための識別情報をＤＢ３０に登録してもよい。
【００６１】
例えば、複数チャネルで測定を行い、解析項目として各チャネルの最大値・最小値を解析し、表示させる場合、マーキング手段４１が、所望のチャネルの最大値・最小値をＤＢ３０にブックマーク登録する。そして、ブックマーク波形表示モードで、選択手段５３が、解析手段５２によって解析された各チャネルの最大値・最小値の解析結果のうち、ＤＢ３０を参照してブックマーク登録された解析結果（つまり、所望のチャネルの最大値・最小値）のみを選択し、表示画面Ｄｉｓｐに表示する。
【００６２】
また、周期性のある被測定波形を測定し、一つの波形データに複数周期含まれる場合に、周期ごとで波形解析を行う場合がある。このような場合、マーキング手段４１が、所望の周期における解析結果をブックマーク登録する。そして、ブックマーク波形表示モードで、選択手段５３が、解析手段５２によって解析した解析結果のうち、ＤＢ３０を参照してブックマーク登録された周期の解析結果のみを選択し、表示画面Ｄｉｓｐに表示する。
【００６３】
このように、マーキング手段４１が、複数の解析結果のうち、所望の解析結果をＤＢ３０にブックマーク登録する。そして、解析手段５２が解析した解析結果のうち、選択手段５３がブックマーク登録した解析結果を選択し表示するので、重要な解析結果を効率よく表示することができる。なお、このような場合、トリガ信号を基準として波形データＤ（１）〜Ｄ（ｎ）を取得しなくともよい。
【００６４】
また、図１に示す装置において、ファイル保存部を設け、波形データＤ（１）〜Ｄ（ｎ）を長期に保存するため、波形データＤ（１）〜Ｄ（ｎ）をファイル形式に変換して、ファイル保存部に保存してもよい。そして、マーキング手段４１が、ファイル保存部に保存されるファイルのうち、所望のファイルを識別するための識別情報をＤＢ３０に登録してもよい。そして、ブックマーク波形表示モードで、選択手段５３が、ファイル保存部に保存される複数のファイルのうち、ＤＢ３０を参照してブックマーク登録されたファイルのみを選択し、波形データを読み出すとよい。
【００６５】
このように、マーキング手段４１が、ファイル保存部の多数のファイルのうち、所望のファイルをＤＢ３０にブックマーク登録する。そして、選択手段５３が、ブックマーク登録したファイルを選択し、波形表示、解析結果の表示をするので、所望の波形データを効率よく波形表示したり、波形解析を行って解析結果を表示することができる。
【００６６】
また、図１に示す装置は、近年、測定や解析の高度化に伴って、操作性も難しくなっている。そのため、表示部６０の表示画面Ｄｉｓｐにヘルプ画面を表示することが多い。ヘルプ画面とは、装置本体の操作を説明する画面である。そして、このようなヘルプ画面はヘルプ画面記憶部に複数格納され、表示処理部５０が図示しない操作部からの操作によって、指示されたヘルプ画面を読み出し、表示画面Ｄｉｓｐに表示する。しかし、ヘルプ画面は、数十〜数千個あり、ユーザが所望のヘルプ画面を表示させることが困難という問題がある。そこで、マーキング手段４１が、ヘルプ画面記憶部に格納されるヘルプ画面のうち、所望のヘルプ画面を識別するための識別情報をＤＢ３０に登録してもよい。そして、選択手段５３が、ヘルプ画面記憶部に記憶される複数のヘルプ画面のうち、ＤＢ３０を参照してブックマーク登録されたヘルプ画面のみを選択し、表示画面Ｄｉｓｐに表示するとよい。
【００６７】
このように、マーキング手段４１が、複数のヘルプ画面のうち、所望のヘルプ画面をＤＢ３０にブックマーク登録する。そして、選択手段５３が、ヘルプ画面記憶部からブックマーク登録したヘルプ画面を選択し表示するので、ユーザが必要とするヘルプ画面を効率よく表示することができる。
【００６８】
なお、上述した実施例以外にも、図１に示す装置において、複数個あるもののなかから、所望のものを効率よく選択するものに本発明を適用することができる。
【図面の簡単な説明】
【００６９】
【図１】本発明の一実施例を示した構成図である。
【図２】図１に示す装置の動作を説明したフローチャートである。
【図３】波形データＤ（１）〜Ｄ（ｎ）の一例を示した図である。
【図４】本発明の他の実施例を示した構成図である。
【図５】図４に示す波形測定装置の一例を示す前面の構成を説明した図である。
【図６】波形データＤ（１）〜Ｄ（ｎ）の一例を示した図である。
【図７】従来の波形測定装置の一例を示す前面の構成を説明した図である。
【図８】従来の波形測定装置の動作を説明したフローチャートである。
【符号の説明】
【００７０】
２０  ヒストリメモリ（データ記憶部）
３０  ブックマーク管理データベース（識別情報記憶部）
４１  マーキング手段
５１  検索手段
５２  解析手段
５３  選択手段
５４  サムネイル表示手段
５５  リスト表示主暗
【図１】
2005181182.tif 000003
【図２】
2005181182.tif 000004
【図３】
2005181182.tif 000005
【図４】
2005181182.tif 000006
【図５】
2005181182.tif 000007
【図６】
2005181182.tif 000008
【図７】
2005181182.tif 000009
【図８】
2005181182.tif 000010